(57)【要約】【課題】ユーザの入力切換操作に応じて外部機器へＣＥＣメッセージを送信したときに、該機器がアクティブ状態でない場合であっても、ＣＥＣメッセージを送信した先の機器を操作対象機器として選択できる表示装置を提供する。【解決手段】テレビ装置１００は、外部機器と接続するＨＤＭＩ端子を備え、ＨＤＭＩ端子を介して複数の外部機器が階層的にツリー状に接続される。テレビ装置１００は、ユーザの入力切換操作により複数の外部機器のいずれかの外部機器に入力切換の指示がされた際に、入力切換の指示がされた外部機器へ入力経路を切り換えるためのＣＥＣメッセージ<Set Stream Path>を送信し、このＣＥＣメッセージ<Set Stream Path>の送信先となる外部機器を操作対象機器として選択する。【選択図】図３
2008054300.tif 000002
【特許請求の範囲】
【請求項１】
外部機器と接続するＨＤＭＩ端子を備え、該ＨＤＭＩ端子を介して複数の外部機器が階層的にツリー状に接続される表示装置であって、
ユーザの入力切換操作により前記複数の外部機器のいずれかの外部機器に入力切換の指示がなされた際に、該入力切換の指示がなされた外部機器へ入力経路を切り換えるためのＣＥＣメッセージを送信し、
前記ＣＥＣメッセージの送信先となる前記外部機器を操作対象機器として選択することを特徴とする表示装置。
【請求項２】
請求項１に記載の表示装置において、前記ＣＥＣメッセージを受信した前記外部機器から、該外部機器が次階層の外部機器を選択している旨の通知があると、
前記通知の受信により前記次階層の外部機器へ前記ＣＥＣメッセージを送信することを特徴とする表示装置。
【請求項３】
請求項２に記載の表示装置において、前記ＣＥＣメッセージを受信した前記外部機器から前記通知がない場合、前記ＣＥＣメッセージを受信した前記外部機器を操作対象機器として選択することを特徴とする表示装置。
【請求項４】
請求項１乃至３のいずれか１項に記載の表示装置において、操作対象機器に選択された前記外部機器のアドレス情報を記憶する記憶手段を備え、
次回入力切換時に、前記外部機器のアドレスを指定して前記ＣＥＣメッセージを送信することを特徴とする表示装置。
【請求項５】
請求項１乃至４のいずれか１項に記載の表示装置において、前記ＣＥＣメッセージは、ＨＤＭＩ規格で定義された<Set Stream Path>であることを特徴とする表示装置。
【請求項６】
請求項１乃至５のいずれか１項に記載の表示装置と、該表示装置の前記ＨＤＭＩ端子に直接にまたは他の外部機器のＨＤＭＩ端子を介して間接に接続される複数の外部機器とを備えた表示システム。
【発明の詳細な説明】
【技術分野】
【０００１】
本発明は、表示装置及び表示システム、より詳細には、ＨＤＭＩ（High Definition Multimedia Interface）等のデジタルインタフェースによりＤＶＤ録画装置などの出力装置（外部機器）と接続可能な表示装置、及び該装置を備えた表示システムに関する。
【背景技術】
【０００２】
映像／音声等の伝送用デジタルインタフェースとしてＨＤＭＩが普及している。ＨＤＭＩは、ＰＣとディスプレイの接続標準規格であるＤＶＩに音声伝送機能や著作権保護機能を加えて、ＡＶ機器向けにアレンジしたものとなっている。
従来、機器間の接続にビデオ、オーディオ、コントロールの各信号用の複数のケーブルを用いていたが、ＨＤＭＩではケーブル１本で済み、コントロール信号は双方向の伝送に対応しているため、例えばモニタからＨＤＭＩで接続されたＳＴＢ（Set Top Box）やＤＶＤプレーヤ等の出力装置にコントロール信号を中継することによって、一つのリモコンでホームシアタなどのＡＶシステム全体を操作することも可能となった。
【０００３】
ＨＤＭＩに関する規格は規格化団体であるＨＤＭＩ  Ｌｉｃｅｎｓｉｎｇ，ＬＬＣにより２００２年１２月に基本仕様が策定され（ＨＤＭＩ規格Ｖｅｒ１．０）、２００５年１２月にＡＶ機器間のコントロールを行うための制御プロトコルとしてＣＥＣ（Consumer Electronics Control）の規定が追加された（ＨＤＭＩ規格Ｖｅｒ１．２ａ，非特許文献１参照）。以後、何度かの改定が行われてきているが、以下、ＣＥＣに関する記載についてはＨＤＭＩ規格Ｖｅｒ１．２ａ以降の規格に準拠するものとし、特に断らない限りＨＤＭＩ規格と称する。
【０００４】
なお、ＣＥＣに関する用語は、ＨＤＭＩ規格の「2.2 Glossary of Terms」,「CEC 2.2 Glossary of Terms」他に定義されており、ＨＤＭＩ入力端子を持つものはシンク（Sink）機器と、ＨＤＭＩ出力端子を持ちＡＶストリームを出力するものはソース（Source）機器と、ＨＤＭＩ入力端子と出力端子を持ちＡＶストリームの入出力を行うものはリピータ（Repeater）機器と定義されている。
【０００５】
ＨＤＭＩ規格ではＣＥＣを使った機器間制御が定義されている。このＣＥＣによれば、ＨＤＭＩネットワーク上に存在する各機器に割り当てられる固有の物理アドレスと論理アドレスに基づいて様々な制御を可能としている。例えば、ユーザがテレビでデジタル放送を視聴しているときに、ＨＤＭＩで接続されたＤＶＤプレーヤを再生すると、テレビは自動的にＤＶＤプレーヤの接続された入力に切り換える。また、このＤＶＤプレーヤで表示しているメニュー操作や、電源のオン／オフなどをテレビのリモコンから操作することができる。
【０００６】
また、ＨＤＭＩ規格ではテレビを含む最大１０台の機器が接続されても動作するように規定されているため、テレビ１台に最大９台の外部機器を接続することができる。テレビに接続された外部機器が１台であれば、リモコンからどの機器を操作しているかは明確であるが、外部機器が複数台接続されると、テレビからテレビのリモコンを使って、どの機器を操作しているのか分かりにくいという問題がある。
【０００７】
そこで、上記のようにテレビからテレビのリモコンを使って外部機器の操作を行う場合、その操作の対象となる機器として、テレビで現に映像を表示している機器を選択することにより、複数の機器の中から操作対象機器を限定することが考えられる。ＨＤＭＩ規格では、そのようなテレビで映像を表示している機器を明示するためのＣＥＣメッセージとして<Active Source>を規定している。この規定によれば、例えば、ユーザがＨＤＭＩ規格対応のＤＶＤプレーヤの再生ボタンを操作すると、ＤＶＤプレーヤはＤＶＤプレーヤ自身が安定した映像信号を出力可能な状態（すなわち、アクティブな状態）であればＡＶストリームを出力するとともに、アクティブ機器であることを示す<Active Source>をブロードキャストする。ここで、「ブロードキャスト」とは、特定の機器に対してではなく全機器を送信先対象とした信号の一斉送信のことをいう。<Active Source>をブロードキャストされたテレビや他の外部機器は、ＤＶＤプレーヤから出力されるＡＶストリームを再生するために経路の切換を行う。このように外部機器ではＴＶで映像を表示中の機器が<Active Source>をネットワーク内の他の機器にブロードキャストすることが規定されている。なお、<Active Source>は、ＨＤＭＩ規格で定義されたＣＥＣメッセージの一つである。
【非特許文献１】High-Definition Multimedia Interface Specification Version 1.2a   Supplement 1 Consumer Electronics Control(CEC),December 14 2005
【発明の開示】
【発明が解決しようとする課題】
【０００８】
しかしながら、<Active Source>をブロードキャストした「アクティブ機器」を操作対象機器とする方法には以下の問題がある。ＨＤＭＩ規格においてＣＥＣに対応すること自体が任意であるが、ＣＥＣの各種の規定も必須対応のものと任意対応のものとが混在しているため、以下のような不都合が生じる。
テレビが複数のＨＤＭＩ入力端子を備え、それぞれのＨＤＭＩ入力端子に、例えばＨＤＭＩ規格対応機器である機器Ａ及び機器Ｂが接続された状態を想定する。初めに、ユーザがテレビに接続されている機器Ａの操作を意図して機器Ａの再生ボタンを操作したとする。この場合、機器Ａは操作可能な機器であるため、上述のように機器Ａは<Active Source>をブロードキャストする。すなわち、この時点でこれを受けたテレビや他の外部機器に対して、機器Ａが「アクティブ機器」であることが通知されたことになる。この例において、ユーザが機器Ａの再生ボタンを操作した場合を想定して説明したが、ユーザが機器Ａのリモコンを再生操作したときやユーザがテレビの入力切換操作をしたときに機器Ａが<Active Source>をブロードキャストするものであっても良い。すなわち、機器ＡがＨＤＭＩ規格の必須対応の規定だけでなく任意対応の規定にも対応したものであれば良い。
【０００９】
次に、ユーザが機器Ｂの操作を意図してテレビの入力切換操作を行い、機器Ｂの接続された入力を選択したとする。ところが、機器Ｂが<Active Source>をブロードキャストしない場合があり、この場合、機器Ａが「アクティブ機器」のままとなる。このため、ユーザが機器Ｂに対して何らかの操作を行っても、その操作信号は「アクティブ機器」である機器Ａに送られてしまうことになる。このような不都合は、機器ＢがＨＤＭＩ規格の任意対応の規定に対応したものでないことに起因している。
【００１０】
ユーザにとっては、映像表示させて、操作対象としたい機器に切換指示したにもかかわらず、その切換先機器が「アクティブ機器」でなければ、テレビが操作対象機器として認識しないため、テレビから切換先機器を操作することができない。すなわち、ＨＤＭＩ規格では、複数の外部機器の接続を意図したものの、複数の外部機器の中の１台の機器を特定して使用するための手段までは提供していない。さらに、ＨＤＭＩ規格では任意対応の規定が多いため、各社の外部機器を使用したり、異なるバージョンの外部機器を混在させて使用しようとすると様々な障害が生じることになる。
【００１１】
本発明は、上述のごとき実情に鑑みてなされたものであり、ユーザの入力切換操作に応じて外部機器へＣＥＣメッセージを送信したときに、該機器がアクティブ状態でない場合であっても、ＣＥＣメッセージを送信した先の機器を操作対象機器として選択できる表示装置及び該表示装置を備えた表示システムを提供すること、を目的とする。
【課題を解決するための手段】
【００１２】
上記課題を解決するために、本発明の第１の技術手段は、外部機器と接続するＨＤＭＩ端子を備え、該ＨＤＭＩ端子を介して複数の外部機器が階層的にツリー状に接続される表示装置であって、ユーザの入力切換操作により前記複数の外部機器のいずれかの外部機器に入力切換の指示がなされた際に、該入力切換の指示がなされた外部機器へ入力経路を切り換えるためのＣＥＣメッセージを送信し、前記ＣＥＣメッセージの送信先となる前記外部機器を操作対象機器として選択することを特徴としたものである。
【００１３】
第２の技術手段は、第１の技術手段において、前記ＣＥＣメッセージを受信した前記外部機器から、該外部機器が次階層の外部機器を選択している旨の通知があると、前記通知の受信により前記次階層の外部機器へ前記ＣＥＣメッセージを送信することを特徴としたものである。
【００１４】
第３の技術手段は、第２の技術手段において、前記ＣＥＣメッセージを受信した前記外部機器から前記通知がない場合、前記ＣＥＣメッセージを受信した前記外部機器を操作対象機器として選択することを特徴としたものである。
【００１５】
第４の技術手段は、第１乃至第３のいずれか１の技術手段において、操作対象機器にされた前記外部機器のアドレス情報を記憶する記憶手段を備え、次回入力切換時に、前記外部機器のアドレスを指定して前記ＣＥＣメッセージを送信することを特徴としたものである。
【００１６】
第５の技術手段は、第１乃至第４のいずれか１の技術手段において、前記ＣＥＣメッセージは、ＨＤＭＩ規格で定義された<Set Stream Path>であることを特徴としたものである。
【００１７】
第６の技術手段は、第１乃至第５のいずれか１の技術手段における表示装置と、該表示装置の前記ＨＤＭＩ端子に直接にまたは他の外部機器のＨＤＭＩ端子を介して間接に接続される複数の外部機器とを備えた表示システムである。
【発明の効果】
【００１８】
本発明によれば、ユーザの入力切換操作に応じて外部機器へＣＥＣメッセージを送信したときに、該機器がアクティブ状態でない場合であっても、ＣＥＣメッセージを送った先の機器を操作対象機器として選択することができるため、ユーザは単に入力を切り換えるだけで、操作対象機器を容易に選択することができる。
また、ユーザはＣＥＣメッセージの送信先を特に意識する必要がないため、接続された機器の操作をスムーズに行うことができる。
また、ＨＤＭＩ規格では任意対応の規定が多く、各社各様の対応がなされている状況にあるが、ＨＤＭＩ規格の必須対応の規定に準拠している外部機器であれば、任意対応の規定に準拠していない外部機器でも操作対象機器として選択して操作することができる。
【発明を実施するための最良の形態】
【００１９】
以下、添付図面を参照しながら、本発明の表示装置及び該装置を備えた表示システムに係る好適な実施の形態について説明する。
本発明の各実施形態においては、ＨＤＭＩ規格に含まれるＣＥＣメッセージを使用する。このＣＥＣメッセージとはＨＤＭＩで規格化されている機器制御信号である。
【００２０】
図１は、本発明の表示システムにおけるＨＤＭＩ接続に係る要部構成例を説明するためのブロック図で、ソース機器１０と、リピータ機器２０と、シンク機器３０とがＨＤＭＩケーブルで接続されている構成を示すものである。なお、ソース機器１０は、例えばＨＤＭＩ出力端子を持つＤＶＤレコーダやＨＤＤレコーダ、ＤＶＤプレーヤ、デジタル方式ＶＴＲ、デジタルビデオカメラなどである。リピータ機器２０は、ＨＤＭＩ入力端子と出力端子とをもつＡＶアンプやレコーダ、プレーヤなどである。シンク機器３０は、ＨＤＭＩ入力端子をもつ液晶テレビやモニタなどの表示装置である。ＡＶアンプなどのリピータ機器２０が複数のＨＤＭＩ入力端子を持っていれば、複数のソース機器１０を接続することができ、ＡＶアンプのセレクタ機能によって入力ラインを切り換えることができる。
【００２１】
本発明に係るシンク機器３０は、リピータ機器２０とソース機器１０の動作状態を検出し、リピータ機器２０とソース機器１０の動作状態を制御するために、ＣＥＣライン４２を介して転送されるＣＥＣメッセージが用いられる。前述したように、ＣＥＣメッセージは、ＨＤＭＩ規格のＣＥＣプロトコルに基づく機器制御信号である。そして、この機器制御信号を機器間でやりとりすることにより、シンク機器３０と接続機器との間で各種の動作制御を実現する。
【００２２】
なお、ＨＤＭＩケーブルは、デジタル信号である映像・音声信号を差動方式で伝送するためのＴＭＤＳ(Transition Minimized Differential Signaling)ライン（デジタル信号ライン）４１と、機器間で共通の制御信号（ＣＥＣメッセージ）を伝送する双方向バスであるＣＥＣライン４２とを含んでいる。またこの他、ＨＤＭＩケーブルには、ＥＤＩＤ（Extended Display Identification Data）の送信やＨＤＣＰ(High-bandwidth Digital Content Protection system)認証等に利用される図示しないＤＤＣ(Display Data Channel)ラインが含まれる。
【００２３】
以下、ソース機器１０，リピータ機器２０，及びシンク機器３０のＨＤＭＩ接続に係る要部構成について説明する。
ソース機器１０は、ＨＤＭＩトランスミッタ１１、ＨＯＳＴ ＣＰＵ１２、フロントマイコン１３、ＣＥＣ Ｉ／Ｆ１４を備えている。ＨＤＭＩトランスミッタ１１は、例えばＤＶＤなどのメディアに記録されている映像データと音声データとを読み出し、音声信号が映像信号のブランキング期間に挿入されたＨＤＭＩ形式のＡＶストリームに変換する。そして、変換したＡＶストリームをＴＭＤＳライン４１によってリピータ機器２０へ転送する。ＨＯＳＴ ＣＰＵ１２は、ＨＤＭＩコントローラを含み、ＨＤＭＩトランスミッタ１１の動作を制御する。
【００２４】
ＣＥＣ Ｉ／Ｆ１４は、ＨＤＭＩケーブル内のＣＥＣライン４２を接続し、リピータ機器２０との間でＣＥＣメッセージの双方向通信を可能とする。ＣＥＣ Ｉ／Ｆ１４の動作は、ＣＥＣコントローラを含むフロントマイコン１３により制御され、ＣＥＣメッセージによってＨＤＭＩ接続された機器を制御することができる。ＣＥＣの場合、ＨＤＭＩ接続された各機器の論理アドレス（機器の種別）と物理アドレス（機器の位置）が取得されるため、この物理アドレスを指定することで所望の機器にＣＥＣメッセージを送信することができる。
【００２５】
ＨＯＳＴ ＣＰＵ１２は装置全体を制御する。またフロントマイコン１３は低電力で動作し、常にＣＥＣライン４２から転送されてくるＣＥＣメッセージを監視する。またリモコン装置があれば、そのリモコン信号の送信の有無を監視する。また装置のスタンバイモードなどによってＨＯＳＴ ＣＰＵ１２の動作が停止しているときも、フロントマイコン１３は動作している（少なくともＣＥＣメッセージの転送が可能な状態で動作する）。
【００２６】
リピータ機器２０は、ＨＤＭＩレシーバ２１、ＨＤＭＩトランスミッタ２２、ＨＯＳＴ ＣＰＵ２３、フロントマイコン２４、及びＣＥＣ Ｉ／Ｆ２５を備えている。リピータ機器２０は、ソース機器１０から転送されたＡＶストリームをＨＤＭＩレシーバ２１で受信し、さらにＨＤＭＩトランスミッタ２２から送出して、シンク機器３０に転送する。またＣＥＣ Ｉ／Ｆ２５によって、ソース機器１０との間のＣＥＣライン４２と、シンク機器３０との間のＣＥＣライン４２とを接続する。
【００２７】
ＨＯＳＴ ＣＰＵ２３とフロントマイコン２４は、上述のソース機器１０と同様の機能を備え、ＨＯＳＴ ＣＰＵ２３は、ＨＤＭＩレシーバ２１とＨＤＭＩトランスミッタ２２とを制御するとともに装置全体を制御する。またフロントマイコン２４はＣＥＣコントローラを含み、ＣＥＣライン４２から転送されてくるＣＥＣメッセージを監視する。
【００２８】
シンク機器３０は、ＨＤＭＩレシーバを内蔵したＨＯＳＴ ＣＰＵ３１、フロントマイコン３２、ＣＥＣ Ｉ／Ｆ３３、メモリ３４、及び受光部３５を備えている。シンク機器３０は、リピータ機器２０で転送されたＡＶストリームをＨＤＭＩレシーバ内蔵のＨＯＳＴ ＣＰＵ３１で受信する。ＨＤＭＩレシーバはＨＯＳＴ ＣＰＵ３１と分離された構成であってもよい。またＣＥＣ Ｉ／Ｆ３３によって、リピータ機器２０との間のＣＥＣライン４２が接続される。メモリ３４には、シンク機器３０の制御プログラムなどが格納されている。またメモリ３４には、ＨＤＭＩ規格に基づいて、シンク機器３０とＨＤＭＩ接続されたリピータ機器２０，ソース機器１０の物理アドレスが記憶される。
【００２９】
ＨＯＳＴ ＣＰＵ３１は、ＨＤＭＩレシーバを内蔵し、また装置全体を制御している。またフロントマイコン３２は、ＣＥＣコントローラを含み、ＣＥＣライン４２から転送されてくるＣＥＣメッセージを監視する。フロントマイコン３２は、リモコン装置３６からのリモコン信号を受信する受光部３５を制御している。そして装置のスタンバイモードなどにおいてＨＯＳＴ ＣＰＵ３１の動作が停止しているときでも、フロントマイコン３２が動作し、ＣＥＣメッセージの送受信とリモコン信号の受信とが可能な状態に維持している。
【００３０】
図２は、本発明の一実施形態に係る表示装置の構成例を示すブロック図で、本発明の表示装置をテレビ装置に適用した例を示すものである。図中、１００はテレビ装置で、図１に示したシンク機器３０と同様のＨＤＭＩ ＣＥＣ機能を備える。
テレビ装置１００は、テレビジョン放送信号を選局して復調するＴＶチューナ１０１と、復調した放送信号からＥＰＧ（登録商標）データの抽出や復調されたデータの分離を行うデマルチプレクサ１０２と、分離されたデジタル放送の映像信号と音声信号とをデコードするデコーダ１０３とを備えている。
【００３１】
またテレビ装置１００は、システム全体の制御を行うシステム制御部１０４と、システム制御部１０４からのバスの使用要求を受けてバスの使用許可を与えるバス調停部１０５とを有している。バス調停部１０５は、一時に一つのバスの使用要求があったときはただちに使用許可を与え、一時に複数の使用要求があったときは、すなわちバスの使用要求が競合したときは、予めシステム制御部１０４等に定められている優先度に従ってバスの使用許可を与える。
【００３２】
テレビ装置１００には、２つの外部入力端子１０６，１０７と、２つのＨＤＭＩ端子１０８，１０９（ＨＤＭＩ端子１，２）とが設けられる。これら外部入力端子１０６，１０７とＨＤＭＩ端子１０８，１０９とを切り換えるために入力切換メニューが用意され、メモリ１１５に保持される。メモリ１１５は不揮発性メモリなどの本発明の記憶手段に相当し、テレビ装置１００を動作させるための制御プログラムや各種データなどを格納する。外部入力端子１０６，１０７は、ＨＤＭＩ入力以外の外部入力用の端子であり、例えば、ビデオ入力端子、ＩＥＥＥ１３９４、ＵＳＢ（登録商標）などのインタフェースである。ＨＤＭＩ端子１０８，１０９は、ＨＤＭＩケーブルを介して複数の外部機器を接続し、ＣＥＣラインにより外部機器との間でＣＥＣメッセージの送受信を行うと共に、ＴＭＤＳラインにより外部機器から映像信号（音声信号を含む）を受信する。
【００３３】
画像処理部１１０では、ノイズリダクション、スケーリングやＩＰ変換等の映像信号変換処理を適宜必要に応じて実施する。また画質強調補正処理やγ補正処理等の画質調整を適宜実施する。また画像信号変換処理において、各種の３次元画像処理を行うためにフレームメモリ１１２が使用される。デバイス駆動部１１１は、液晶パネル等の表示デバイス１１３を駆動制御して、画像処理部１１０から出力された映像信号を表示デバイス１１３に表示させる。またテレビ装置１００には、ユーザが操作するリモートコントローラ（図示せず）からの赤外線信号を受信する赤外線受光部１１４が設けられる。
【００３４】
また、デコーダ１０３でデコードされた音声信号は、音声処理部１１６で処理され、この音声信号がスピーカ１１７に供給され、音声が再生される。
【００３５】
システム制御部１０４は、図１に示したフロントマイコン等を含み、ＴＶチューナ１０１、外部入力端子１０６，１０７、ＨＤＭＩ端子１０８，１０９の入力切換を制御する。またシステム制御部１０４は、ＨＤＭＩ端子１０８，１０９を介して送受信されるＣＥＣメッセージの解析及び解析結果に基づく動作制御などを行う。
【００３６】
図３は、本発明の表示システムによる操作対象機器の選択方法の一例を説明するための図である。本例において、シンク機器であるテレビ装置（ＴＶ）１００は２つのＨＤＭＩ入力（入力１，入力２）を備え、一方の入力１にはリピータ機器であるＡＶアンプ２０ａを接続し、他方の入力２にはソース機器であるレコーダ１０ｅを接続する。ＴＶ１００は、図２に示したテレビ装置の構成と同様の構成を備えるものとする。なお、各機器に割り当てられている(0.0.0.0),(1.0.0.0),…,(2.0.0.0)の数字は各機器の接続位置を示す物理アドレスである。
【００３７】
ＴＶ１００の入力１に接続されたＡＶアンプ２０ａは、３つのＨＤＭＩ入力（入力３，入力４，入力５）を備え、入力３にはソース機器であるレコーダ１０ａを接続し、入力４にはソース機器であるＤＶＤプレーヤ１０ｂを接続し、入力５にはリピータ機器であるＡＶアンプ２０ｂを接続する。
【００３８】
ＡＶアンプ２０ａの入力５に接続されたＡＶアンプ２０ｂは、２つのＨＤＭＩ入力（入力６，入力７）を備え、入力６にはソース機器であるＳＴＢ１０ｃを接続し、入力７にはリピータ機器であるＡＶアンプ２０ｃを接続する。最後に、ＡＶアンプ２０ｂの入力７に接続されたＡＶアンプ２０ｃは、ＨＤＭＩ入力（入力８）を備え、入力８にソース機器であるＳＴＢ１０ｄを接続する。
【００３９】
本発明の好適な実施形態としてシンク機器であるＴＶ１００にＨＤＭＩ端子を２つ搭載した例を示しているが、ＨＤＭＩ端子は少なくとも１つ備えていればよく、２つに限定されるものではない。また、ＨＤＭＩ端子に接続される複数の外部機器についても本例の接続構成に限定されるものではない。
【００４０】
ＴＶ１００の主たる特徴部分は、ユーザ操作により入力が切り換えられたときに、入力切換先機器へ<Set Stream Path>を送信し、<Set Stream Path>を送った先の機器を操作対象機器として選択することにある。この処理は、ＴＶ１００が備えるシステム制御部１０４により実行される。なお、<Active Source>とは、ＨＤＭＩ規格で定義されているＣＥＣメッセージの一つであって、当該機器が映像出力可能なアクティブな状態であることを示すものである。
【００４１】
図３に示す接続構成において、ＴＶ１００を１階層目とした場合、ＡＶアンプ２０ａ，レコーダ１０ｅを２階層、レコーダ１０ａ，ＤＶＤプレーヤ１０ｂ，ＡＶアンプ２０ｂを３階層、ＳＴＢ１０ｃ，ＡＶアンプ２０ｃを４階層、ＳＴＢ１０ｄを５階層として、複数の外部機器を階層的に配置してネットワークを構成する。
【００４２】
まず、ユーザがＴＶ１００の入力２に接続されたレコーダ１０ｅの映像出力を視聴している状態から、ＡＶアンプ２０ａに接続されている機器へ入力ソースを切り換えるものとする。ユーザはＴＶ１００本体の操作部（図示せず）又はＴＶ１００付属のリモコン（図示せず）により、ＴＶ１００のメニュー（ＨＤＭＩ機器選択）を選択し、ＡＶアンプ２０ａの入力１を切換先に指定する。ＴＶ１００は、図２に示したシステム制御部１０４により、ＡＶアンプ２０ａの物理アドレス(1.0.0.0)をパラメータに付加して、<Set Stream Path>をブロードキャストにて送信する。
【００４３】
ＡＶアンプ２０ａは、ＴＶ１００からの<Set Stream Path(1.0.0.0)>を受けて、入力３，４，５のうちで選択している次階層の機器（ここではＡＶアンプ２０ｂ）があれば、その旨をＴＶ１００に通知する。ＴＶ１００は、ＡＶアンプ２０ａからＡＶアンプ２０ｂを選択している旨の通知を受けて、ＡＶアンプ２０ｂの物理アドレス(1.3.0.0)をパラメータに付加して、<Set Stream Path>をブロードキャストにて送信する。
また、ＴＶ１００は、ＡＶアンプ２０ａが選択している次階層の機器がなければ、ＡＶアンプ２０ａからの<Active Source>の有無にかかわらず、ＡＶアンプ２０ａを操作対象機器として選択することになる。しかし、ＡＶアンプの場合、リピータ機器であるため、ＡＶアンプ単体で接続されるケースはほとんどなく、入力側がレコーダやＳＴＢなどのソース機器あるいは他のリピータ機器とも接続される。このため、ＡＶアンプを操作対象機器とせずに、ソース機器が接続されていない旨を通知するためのメッセージあるいは他の入力に切り換えるように促すためのメッセージをＴＶから表示等するようにしてもよい。
【００４４】
なお、リピータ機器とソース機器の両方の機能を備えたデジタル方式ＶＴＲやプレーヤなどのＨＤＭＩ機器も存在する。このようなＨＤＭＩ機器（以下、デジタル方式ＶＴＲで例示する）が物理アドレス(1.3.0.0)に割り当てられている場合、デジタル方式ＶＴＲが次階層の機器を選択していれば、上記ＡＶアンプと同様にリピータ機器として機能させる。一方、デジタル方式ＶＴＲが次階層の機器を選択していなければ、ソース機器として機能させることができるため、ＴＶ１００はデジタル方式ＶＴＲからの<Active Source>の有無にかかわらず、デジタル方式ＶＴＲを操作対象機器として選択してもよい。
【００４５】
ここで、リピータ機器の次階層に接続された機器のうち、どれが選択されているかはリピータ機器に依存することになる。本例の場合、リピータ機器であるＡＶアンプ２０ａは入力５のＡＶアンプ２０ｂを選択し、ＡＶアンプ２０ｂは入力７のＡＶアンプ２０ｃを選択している。そして、ＡＶアンプ２０ｃは１つのＳＴＢ１０ｄを接続するだけなので、このＳＴＢ１０ｄが選択機器となる。
【００４６】
なお、ＡＶアンプ２０ａ等のリピータ機器に対して、ユーザがリモコン等を用いてマニュアル操作で選択機器を切り換えることができる。例えば、ユーザが、ＡＶアンプ２０ａの本体操作部又は付属のリモコンにより、ＡＶアンプ２０ａの入力端子を入力４から入力５にマニュアルで切り換えた場合、ＡＶアンプ２０ａは、自身の入力が入力４から入力５に経路変更されたことを示すために、<Routing Change(1.2.0.0)(1.3.0.0)」というＣＥＣメッセージをブロードキャストする。<Routing Change>は、ＨＤＭＩ規格で定義されているＣＥＣメッセージの一つであって、入力経路の変更を示すためのものである。これを受けてＴＶ１００は、入力５のＡＶアンプ２０ｂに対して、ＡＶアンプ２０ｂの物理アドレス(1.3.0.0)をパラメータに付加して、<Set Stream Path>をブロードキャストにて送信し、入力経路の変更を確定する。
【００４７】
以下、繰り返しの処理になるが、ＡＶアンプ２０ｂは、ＴＶ１００からの<Set Stream Path(1.3.0.0)>を受けて、入力６，７のうちで選択している次階層の機器（ここではＡＶアンプ２０ｃ）があれば、その旨をＴＶ１００に通知する。ＴＶ１００は、ＡＶアンプ２０ｂからＡＶアンプ２０ｃを選択している旨の通知を受けて、ＡＶアンプ２０ｃの物理アドレス(1.3.2.0)をパラメータに付加して、<Set Stream Path>をブロードキャストにて送信する。
【００４８】
次に、ＡＶアンプ２０ｃは、ＴＶ１００からの<Set Stream Path(1.3.2.0)>を受けて、選択している次階層の機器（ここではＳＴＢ１０ｄ）があれば、その旨をＴＶ１００に通知する。ＴＶ１００は、ＡＶアンプ２０ｃからＳＴＢ１０ｄを選択している旨の通知を受けて、ＳＴＢ１０ｄの物理アドレス(1.3.2.1)をパラメータに付加して、<Set Stream Path>をブロードキャストにて送信する。
【００４９】
ＳＴＢ１０ｄはＴＶ１００からの<Set Stream Path(1.3.2.1)>を受ける。しかし、ＳＴＢ１０ｄはソース機器であるため、次階層の機器が接続されず、選択機器の通知を行わない。従って、ＴＶ１００は、ＳＴＢ１０ｄからの<Active Source>の有無にかかわらず、ＳＴＢ１０ｄを操作対象機器として選択することができる。このように、<Set Stream Path>を送った先の機器、すなわち、<Set Stream Path>で物理アドレスを指定した機器を操作対象機器とすることができるため、入力切換先機器がＨＤＭＩ規格の任意対応の規定に従わない場合などでアクティブ状態でなくても、ケーブルが外れていない限り機器の操作が可能となる。
【００５０】
また、図２に示したメモリ１１５に各機器の物理アドレスが記憶されている場合、ＴＶ１００が、ＡＶアンプ２０ａなどのリピータ機器に接続されている機器の物理アドレスを直接指定して<Set Stream Path>を送るようにしてもよい。例えば、ユーザが入力ソースをレコーダ１０ｅからＤＶＤプレーヤ１０ｂに切り換えるため、ＴＶ１００本体の操作部又は付属のリモコンにより、ＴＶ１００のメニュー（ＨＤＭＩ機器選択）を選択し、ＤＶＤプレーヤ１０ｂの出力を切換先に指定する。ＴＶ１００のシステム制御部１０４は、ＤＶＤプレーヤ１０ｂの物理アドレス(1.2.0.0)をパラメータに付加して、<Set Stream Path>をブロードキャストにて送信する。
【００５１】
ＴＶ１００からの<Set Stream Path(1.2.0.0)>を受けて、ＡＶアンプ２０ａは、ＤＶＤプレーヤ１０ｂの入力４へ自動的に入力を切り換える。そして、ＤＶＤプレーヤ１０ｂは、自身が安定した映像出力可能な状態（すなわち、アクティブな状態）であればＡＶストリームを出力し、さらに、アクティブ機器であることを示す<Active Source>をブロードキャストする。一方、スタンバイ状態等のアクティブな状態でなければ、<Active Source>を返さない。
ＴＶ１００は、ＤＶＤプレーヤ１０ｂからの<Active Source>の有無にかかわらず、<Set Stream Path>で物理アドレスを指定したＤＶＤプレーヤ１０ｂを操作対象機器とする。
【００５２】
図３に示すように、シンク機器であるＴＶ１００を１階層目に配置し、ＴＶ１００に直接接続されているリピータ機器（ＡＶアンプ２０ａ）やソース機器（レコーダ１０ｅ）などの外部機器を２階層目に配置し、３階層目以降についても同様に当該階層の外部機器に直接接続されている外部機器を次階層に配置してネットワークを構成した場合、当該階層の外部機器は、ＴＶ１００からブロードキャスト送信された<Set Stream Path>を受信したときに、次階層の外部機器を選択していれば、その旨をＴＶ１００に通知する。この通知を受けたＴＶ１００は、次階層の外部機器の物理アドレスを指定して<Set Stream Path>をブロードキャストにて送信する。
【００５３】
上記において、ＴＶ１００は、当該階層の外部機器から、次階層の外部機器を選択している旨の通知があったかどうかを判定する。この通知がない場合、当該階層の外部機器を操作対象機器として選択する。図３に示す例では、ソース機器であるＳＴＢ１０ｄが操作対象機器として選択される。このとき、ＴＶ１００は，操作対象機器として選択された外部機器の物理アドレスを、図２に示したメモリ１１５に記憶するようにしてもよい。この場合、次回ＴＶ１００の操作を行う際に、ユーザによる入力切換に応じて、メモリ１１５に記憶した外部機器の物理アドレスを指定して<Set Stream Path>がブロードキャストにて送信される。ユーザはＴＶ１００の入力を入力１へ切り換えるだけで、ＳＴＢ１０ｄの物理アドレスを指定した<Set Stream Path>をブロードキャストにて送信し、ＳＴＢ１０ｄがアクティブ機器でなくても、ＳＴＢ１０ｄを操作対象機器として選択することができる。なお、メモリ１１５に記憶した外部機器の物理アドレスは、ユーザによるＴＶ１００の入力切換や外部機器の操作に応じて更新されるようにしても良い。例えば、ユーザにより最後に操作対象機器として選択された外部機器の物理アドレスのみを記憶するようにしても良く、ユーザにより操作対象機器として選択された外部機器の物理アドレスを複数記憶するようにしても良く、ユーザによる操作対象機器として選択される頻度の高い外部機器の物理アドレスを複数記憶するようにしても良い。
【００５４】
図４は、本発明の表示システムによる操作対象機器選択方法の一例を説明するためのフロー図である。本例では図３に示した接続構成に基づいて説明する。まず、ＴＶ１００は、ユーザ操作に従って、ＡＶアンプ１へ入力が切り換えられると（ステップＳ１）、ＡＶアンプ１の物理アドレスを指定して、“Set Stream Path<ＡＶアンプ１>”コマンドをブロードキャストにて送信する（ステップＳ２）。なお、このコマンドの<  >の中には指定された機器の物理アドレスが入るものとし、ここではＡＶアンプ１の物理アドレス(1.0.0.0)が入る。
【００５５】
そしてＴＶ１００は、ＡＶアンプ１から選択機器の通知があったかどうかを判定する（ステップＳ３）。なお、ＴＶ１００は、ＡＶアンプ１へ送った<Set Stream Path>に対して、ＡＶアンプ１から<Active Source>が返ってきたかどうかを判定し、<Active Source>が返っていれば、ＡＶアンプ１をアクティブ機器として認識する。ＴＶ１００は、<Set Stream Path>を送るたびに、<Active Source>の有無を判定するが、以下ではその記載を省略するものとする。
【００５６】
ＴＶ１００は、ステップＳ３において、ＡＶアンプ１から選択機器の通知がない場合（ＮＯの場合）、ステップＳ１０に移行して、ＡＶアンプ１からの<Active Source>の有無にかかわらず、“Set Stream Path”で指定されたＡＶアンプ１を操作対象機器として選択する。なお、選択機器の通知がないということは、リピータ機器であるＡＶアンプ１にソース機器あるいは他のリピータ機器が接続されていないと判断し、操作対象機器としないようにしてもよい。
また、ＴＶ１００は、ステップＳ３において、ＡＶアンプ１から選択機器（ここではＡＶアンプ２）の通知があった場合（ＹＥＳの場合）、ＡＶアンプ２の物理アドレスを指定して“Set Stream Path<ＡＶアンプ２>”コマンドをブロードキャストにて送信する（ステップＳ４）。
【００５７】
以下同様に、ＴＶ１００は、ＡＶアンプ２から選択機器の通知があったかどうかを判定し（ステップＳ５）、ＡＶアンプ２から選択機器の通知がない場合（ＮＯの場合）、ステップＳ１０に移行して、ＡＶアンプ２からの<Active Source>の有無にかかわらず、“Set Stream Path”で指定されたＡＶアンプ２を操作対象機器として選択する。また、ＴＶ１００は、ステップＳ５において、ＡＶアンプ２から選択機器（ここではＡＶアンプ３）の通知があった場合（ＹＥＳの場合）、ＡＶアンプ３の物理アドレスを指定して“Set Stream Path＜ＡＶアンプ３＞”コマンドをブロードキャストにて送信する（ステップＳ６）。
【００５８】
次に、ＴＶ１００は、ＡＶアンプ３から選択機器の通知があったかどうかを判定し（ステップＳ７）、ＡＶアンプ３から選択機器の通知がない場合（ＮＯの場合）、ステップＳ１０に移行して、ＡＶアンプ３からの<Active Source>の有無にかかわらず、“Set Stream Path”で指定されたＡＶアンプ３を操作対象機器として選択する。また、ＴＶ１００は、ステップＳ７において、ＡＶアンプ３から選択機器（ここではＳＴＢ２）の通知があった場合（ＹＥＳの場合）、ＳＴＢ２の物理アドレスを指定して“Set Stream Path<ＳＴＢ２>”コマンドをブロードキャストにて送信する（ステップＳ８）。
【００５９】
次に、ＴＶ１００は、ＳＴＢ２から選択機器の通知があったかどうかを判定し（ステップＳ９）、ＳＴＢ２から選択機器の通知がない場合（ＮＯの場合）、ステップＳ１０に移行して、ＳＴＢ２からの<Active Source>の有無にかかわらず、“Set Stream Path”で指定されたＳＴＢ２を操作対象機器として選択する。また、ＴＶ１００は、ステップＳ９において、ＳＴＢ２から選択機器の通知があった場合（ＹＥＳの場合）、次階層へ進み、選択機器の物理アドレスを指定して“Set Stream Path”コマンドをブロードキャストにて送信する。
【００６０】
本例の場合、ＳＴＢ２はソース機器であり、以降の選択機器は存在しないため、ＳＴＢ２が操作対象機器として選択される。このことは他のソース機器（レコーダ１，ＤＶＤプレーヤ，ＳＴＢ１，レコーダ２）に対しても同様であり、ソース機器からの<Active Source>の有無にかかわらず、“Set Stream Path”で指定されたソース機器を操作対象機器として選択することができる。
【００６１】
図５は、本発明の表示システムによる操作対象機器選択方法の他の例を説明するためのフロー図である。本例では図３に示した接続構成に基づいて説明する。まず、ＴＶ１００は、ユーザ操作に従って、ＡＶアンプ１へ入力が切り換えられると（ステップＳ２１）、前回送信した操作対象機器の<Set Stream Path>の物理アドレス（ここではＳＴＢ２）がメモリ１１５に記憶されているかどうかを判定する（ステップＳ２２）。当該物理アドレスが記憶されていない場合（ＮＯの場合）、操作対象機器を選択し直す（ステップＳ２３）。また、ステップＳ２２において、当該物理アドレスが記憶されている場合（ＹＥＳの場合）、ＳＴＢ２の物理アドレスを指定して“Set Stream Path<ＳＴＢ２>”コマンドをブロードキャストにて送信する（ステップＳ２４）。
【００６２】
そして、ＴＶ１００は、ＳＴＢ２を指定した<Set Stream Path>に対して、ＳＴＢ２から<Active Source>が返ってきたかどうかにかかわらず、<Set Stream Path>で指定されたＳＴＢ２を操作対象機器として選択する（ステップＳ２５）。このように、テレビ視聴時に、前回送信した<Set Stream Path>の物理アドレスを記憶しておき、その物理アドレスの機器を操作対象とすることで、操作をスムーズに行うことができる。
【００６３】
以上説明したように、本発明によれば、ユーザの入力切換操作に応じて外部機器へＣＥＣメッセージを送信したときに、該機器がアクティブ状態でない場合であっても、ＣＥＣメッセージを送った先の機器を操作対象機器として選択することができるため、ユーザは単に入力を切り換えるだけで、操作対象機器を容易に選択することができる。
また、ユーザは機器の切り換えを特に意識する必要がないため、接続された機器の操作をスムーズに行うことができる。
【図面の簡単な説明】
【００６４】
【図１】本発明の表示システムにおけるＨＤＭＩ接続に係る要部構成例を説明するためのブロック図である。
【図２】本発明の一実施形態に係る表示装置の構成例を示すブロック図である。
【図３】本発明の表示システムによる操作対象機器選択方法の一例を説明するための図である。
【図４】本発明の表示システムによる操作対象機器選択方法の一例を説明するためのフロー図である。
【図５】本発明の表示システムによる操作対象機器選択方法の他の例を説明するためのフロー図である。
【符号の説明】
【００６５】
１０…ソース機器、１０ａ，１０ｅ…レコーダ、１０ｂ…ＤＶＤプレーヤ、１０ｃ，１０ｄ…ＳＴＢ、１１…ＨＤＭＩトランスミッタ、１２…ＨＯＳＴ ＣＰＵ、１３…フロントマイコン、１４…ＣＥＣ Ｉ／Ｆ、２０…リピータ機器、２０ａ，２０ｂ，２０ｃ…ＡＶアンプ、２１…ＨＤＭＩレシーバ、２２…ＨＤＭＩトランスミッタ、２３…ＨＯＳＴ ＣＰＵ、２４…フロントマイコン、２５…ＣＥＣ Ｉ／Ｆ、３０…シンク機器、３１…ＨＯＳＴ ＣＰＵ、３２…フロントマイコン、３３…ＣＥＣ Ｉ／Ｆ、３４…メモリ、３５…受光部、３６…リモコン装置、４１…ＴＭＤＳライン、４２…ＣＥＣライン、１００…テレビ装置、１０１…ＴＶチューナ、１０２…デマルチプレクサ、１０３…デコーダ、１０４…システム制御部、１０５…バス調停部、１０６，１０７…外部入力端子、１０８，１０９…ＨＤＭＩ端子、１１０…画像処理部、１１１…デバイス駆動部、１１２…フレームメモリ、１１３…表示デバイス、１１４…赤外線受光部、１１５…メモリ、１１６…音声処理部、１１７…スピーカ。
【図１】
2008054300.tif 000003
【図２】
2008054300.tif 000004
【図３】
2008054300.tif 000005
【図４】
2008054300.tif 000006
【図５】
2008054300.tif 000007